(57)【要約】      （修正有）【課題】複製開始点複合体(Origin Recognition Complex、ＯＲＣ)の生体内での動態を解析する為、ＤＮＡの複製及び細胞周期の分子機構を解明する実験モデルとして有用な非ヒト動物を提供する。【解決手段】ゲノム中の、特定の塩基配列で示されるＯＲＣ４遺伝子のイントロン１部位にジーントラップベクター、ＲＯＳＡＮβ-geoが挿入されている非ヒト動物である。このＯＲＣ４変異非ヒト動物は、母由来のＯＲＣ４タンパク質を受精卵内に有している為、受精後数日間はＤＮＡ複製を行う事が可能であり、従って細胞分裂を起こすことが出来る。【選択図】  図１
2004344092.tif 000002
【特許請求の範囲】
【請求項１】
ゲノム中のＯＲＣ４遺伝子に変異を有することを特徴とする非ヒト動物。
【請求項２】
前記ＯＲＣ４遺伝子は、ｃＤＮＡとして配列番号１記載の塩基配列を含むことを特徴とする請求項１記載の非ヒト動物。
【請求項３】
前記変異は、ゲノム中のＯＲＣ４遺伝子のイントロン１部位にジーントラップベクターが挿入されたものであることを特徴とする請求項１又は２記載の非ヒト動物。
【請求項４】
前記非ヒト動物は、げっ歯目動物であることを特徴とする請求項１〜３のいずれかに記載の非ヒト動物。
【請求項５】
前記げっ歯目動物は、マウスであることを特徴とする請求項４記載の非ヒト動物。
【請求項６】
請求項１〜５のいずれかに記載の非ヒト動物の胚。
【請求項７】
請求項１〜５のいずれかに記載の非ヒト動物の胚盤胞を培養して採取される内部細胞塊。
【請求項８】
請求項７に記載の内部細胞塊を培養して得られる培養細胞。
【発明の詳細な説明】
【０００１】
【発明の属する技術分野】
本発明は、ＤＮＡの複製及び細胞周期の分子機構を解明する実験モデルとして有用な非ヒト動物に関し、更に詳細にはがんに代表される増殖異常疾患の分子機構を解明する実験モデルとして有用な非ヒト動物に関する。
【０００２】
【従来の技術】
真核生物において、遺伝情報を担う染色体ＤＮＡの複製と娘細胞への染色体分配即ち細胞分裂は互いに密接な関連を有しており、これらは細胞周期の重要なイベントである。ＤＮＡ複製機構を分子レベルで理解するためには、ＤＮＡ複製開始点で構築される、種々の複製関連因子の複合体の動態を解析する必要がある。
【０００３】
前述した複製関連因子の一つであり、真核細胞ＤＮＡの複製で必要とされる、複製開始点複合体  （Ｏｒｉｇｉｎ  Ｒｅｃｏｇｎｉｔｉｏｎ  Ｃｏｍｐｌｅｘ、以下の文中においてＯＲＣと略称）は６つのサブユニットからなり、真核生物においてよく保存されたタンパク質である。その中でも、ＯＲＣの中心部に位置するサブユニットであるＯＲＣ４は、ＯＲＣ形成に必須と考えられている。
【０００４】
酵母を用いての研究により、ＯＲＣは細胞周期を通じてＤＮＡ複製開始点に結合しており、その役割はＤＮＡ複製開始点の認識、及びＤＮＡ合成期（Ｓ期）開始に必要な細胞分裂周期タンパク質（ＣＤＣ６）やミニ染色体保持タンパク質（ＭＣＭ）が複合体を形成してＤＮＡ複製開始点に結合するための足場であると考えられている。また、酵母のＯＲＣ変異体の解析によって、ＯＲＣの全てのサブユニットがＤＮＡ複製に必須であり、変異体は致死となることが知られている。
【０００５】
がんに代表される増殖異常疾患のメカニズム解明という視点からも、正常な発生過程における体細胞、又はがん細胞のような病的な状態において、細胞周期機構とＤＮＡ複製開始機構とがどのような接点を持つのかについての詳細な解析が望まれている。この目的から、ヒト及び哺乳類のＤＮＡ複製開始点のコンセンサス配列の一例が特許文献１において公開されており、また、酵母ＯＲＣ遺伝子のクローニングに関しては特許文献２において公開されている。
【０００６】
【特許文献１】
特表２００１−５０６４９８号公報
【０００７】
【特許文献２】
特表平９−５０６７６８号公報
【０００８】
【発明が解決しようとする課題】
しかし、ＤＮＡ複製開始機構は酵母を用いての解析がその主なものであり、他の高等生物、特にヒト及び哺乳類動物におけるＤＮＡ複製開始機構の分子レベルでの動態は未だ明らかにされていない部分が多い。前記特許文献１においては、ヒト及び哺乳類のＤＮＡ複製開始点のコンセンサス配列の一例が公開されるに留まり、また前記特許文献２においては、ＯＲＣのクローニングが行われてはいるが酵母についての開示に留まっている。
【０００９】
また、前述した如く、不完全なＯＲＣ複合体を有する酵母即ちＯＲＣの変異体酵母は致死となる為、酵母を用いた研究ではＯＲＣ遺伝子を変異させて生体内でのＯＲＣの分子レベルでの動向を深く解析することがこれまでは困難であった。
【００１０】
そこで本発明では、ＯＲＣの生体内での動態を解析する為、ＤＮＡの複製及び細胞周期の分子機構を解明する実験モデルとして有用な非ヒト動物を提供する事を目的とする。
【００１１】
【課題を解決するための手段】
本発明者らは、ジーントラップ法を用いてＯＲＣ４変異マウスを得た後、当該マウスについて研究を進めたところ、当該マウスのヘテロ接合体同士の交配により得られたホモ接合体は胎生３．５日から７．５日の間に発生が止まり母マウス子宮に吸収されていること、及びホモ接合体の胚盤胞内部細胞塊は試験管内で培養すると３日目から４日目にＤＮＡ凝集を伴う変性を起こすことを明らかにし、また、当該マウスは、ＯＲＣ４遺伝子に変異があること、及びＤＮＡの複製及び細胞周期の分子機構を解明する実験モデルとして利用可能であることを見出し、本発明を完成させるに至った。
【００１２】
すなわち、本発明に係るＯＲＣ４変異非ヒト動物は、ゲノム中のＯＲＣ４遺伝子に変異を有する事を特徴とする。
【００１３】
以上の様なＯＲＣ４変異非ヒト動物は、母由来のＯＲＣ４タンパク質を受精卵内に有している為、受精後数日間はＤＮＡ複製を行う事が可能であり、従って細胞分裂を起こすことが出来る。
ただし、胚細胞ゲノム内に存在するＯＲＣ４遺伝子に変異を持つ為、正常に機能するＯＲＣ４タンパク質を自ら産生する事が出来ず、ＤＮＡ複製開始に必須であるＯＲＣを形成する事が出来ないと考えられる。従って、上記ＯＲＣ４変異非ヒト動物は、母由来ＯＲＣ４タンパク質の枯渇に伴いＤＮＡ複製が停止し、細胞の分裂も行われなくなる為に発生途中の状態のまま母胎内で致死となるが、本発明では、死亡に至る前に母胎からＯＲＣ４遺伝子変異非ヒト動物の胚を取り出すことで、あるいは、ＯＲＣ４遺伝子変異非ヒト動物の胚盤胞を例えば試験管内で培養して内部細胞塊を採取することで、さらにはこの内部細胞塊を培養して培養細胞を得ることで、ＤＮＡの複製開始機構を解明するための実験等に利用することが可能である。
【００１４】
【発明の実施の形態】
以下、本発明のＯＲＣ４変異非ヒト動物について、詳細に説明する。
【００１５】
本発明のＯＲＣ４変異非ヒト動物は、ゲノム中のＯＲＣ４遺伝子に変異を有する。ここで非ヒト動物とは、例えばマウス、ラット等のげっ歯目動物等のヒト以外の動物を指し、中でも繁殖が容易である等の利点を有することからマウスを用いることが好ましいが、これらに限定されるものではない。
【００１６】
ゲノム中のＯＲＣ４遺伝子に変異を有する状態とは、ゲノム中でＯＲＣ４遺伝子に人為的に置換、欠失、付加、挿入等の変異を加えることにより、ＯＲＣ４遺伝子の発現能が抑制又は喪失した状態等を含む。ゲノム中のＯＲＣ４遺伝子が欠損した状態か否かは、動物の組織等から抽出したＤＮＡについてＰＣＲ解析を行うこと等によって容易に判別できる。
【００１７】
複製開始点複合体  （Ｏｒｉｇｉｎ  Ｒｅｃｏｇｎｉｔｉｏｎ  Ｃｏｍｐｌｅｘ）サブユニット４（ＯＲＣ４）遺伝子とは、ＯＲＣ４をコードするヒト以外の動物の遺伝子であり、例えばｃＤＮＡとして配列番号１で示される塩基配列を含むもの等が挙げられる。この配列番号１で示されるＯＲＣ４遺伝子は、ゲノム中で、エキソン１とエキソン２との間（配列番号１中１４５番目と１４６番目との間）に対応する位置にイントロン１、エキソン２とエキソン３との間（２１３番目と２１４番目との間）にイントロン２、エキソン３とエキソン４との間（２９０番目と２９１番目との間）にイントロン３、エキソン４とエキソン５との間（３８１番目と３８２番目との間）にイントロン４、エキソン５とエキソン６との間（４５４番目と４５５番目との間）にイントロン５、エキソン６とエキソン７との間（５４０番目と５４１番目との間）にイントロン６、エキソン７とエキソン８との間（５８９番目と５９０番目との間）にイントロン７、エキソン８とエキソン９との間（７４１番目と７４２番目との間）にイントロン８、エキソン９とエキソン１０との間（１００２番目と１００３番目との間）にイントロン９、エキソン１０とエキソン１１との間（１１１１番目と１１１２番目との間）にイントロン１０、エキソン１１とエキソン１２との間（１２０７番目と１２０８番目との間）にイントロン１１、エキソン１２とエキソン１３との間（１２７５番目と１２７６番目との間）にイントロン１２を有している。本発明においては、配列番号１で示されるＯＲＣ４遺伝子の、ゲノムＤＮＡの例えばイントロン１部位に、ジーントラップベクターを挿入することにより、ＯＲＣ４遺伝子の機能を抑制又は喪失させることができる。
【００１８】
本発明のＯＲＣ４遺伝子変異非ヒト動物は、ＯＲＣ４遺伝子の発現能が抑制又は喪失しているため、ＤＮＡの複製及び細胞周期の分子機構を解明する実験モデルとして有用である。すなわち、本発明に係るＯＲＣ４遺伝子変異非ヒト動物は、例えば、ＯＲＣの分子レベルでの生体内動向の解析、欠損したＯＲＣタンパク質を補ってＤＮＡ複製を開始させる作用を有する物質の探索等の実験モデルや、がん等の増殖異常疾患の分子機構を解明するための実験モデルとして使用することができる。また、ＯＲＣ４遺伝子変異非ヒト動物のホモ接合体では正常なＯＲＣタンパク質を産生することが出来ない為にＤＮＡ複製が行われず、胎生致死を示すが、死亡に至る前に母胎から取り出されたＯＲＣ４遺伝子変異非ヒト動物の胚も、ＯＲＣ４遺伝子変異非ヒト動物と同様に、ＤＮＡの複製開始機構を解明するための研究に使用することが可能である。また、ＯＲＣ４遺伝子変異非ヒト動物の胚盤胞を例えば試験管内で培養して採取される内部細胞塊、さらにはこの内部細胞塊を培養して得られる培養細胞も、ＤＮＡの複製開始機構を解明するための実験等に使用することが可能である。
【００１９】
次に、ＯＲＣ４変異非ヒト動物の作製方法の一例として、ＯＲＣ４変異マウスの作製方法を例に挙げて説明する。ＯＲＣ４変異マウス（以下ＯＲＣ４変異マウス（−／−）と称することがある。）は、例えば以下のように作製することができる。
【００２０】
ＯＲＣ４変異マウスは、ジーントラップ法により作製することが出来る。ジーントラップ法とは、プロモーターを持たないレポーター遺伝子（ジーントラップベクター）を細胞に導入し、偶発的に起こる内在性プロモーターからの発現を示標として、ゲノム上の遺伝子内へのトラップベクターの挿入体を選別する方法である。ジーントラップベクターをマウスＥＳ細胞に導入する事により、様々な内在遺伝子に変異を有するクローンを得る事が出来る。上記ジーントラップベクターのＥＳ細胞への導入は、常法に従って行うことができ、具体的にはエレクトロポレーション法、マイクロインジェクション法、レトロウイルスベクターの使用等が挙げられる。ＥＳ細胞としては、例えば胚盤胞の内部細胞塊由来のものを用いることができる。
【００２１】
次いで、内在性遺伝子へのベクターの挿入の生じた細胞を選択する。選択は、例えば、ベクター内に存在する選択マーカーの表現型により行うことができる。選択マーカーの使用は、この選択を容易にする点で好ましい。
【００２２】
さらに、５´ＲＡＣＥ  ＰＣＲ法を用いて挿入体クローンのトラップされた遺伝子の一部の塩基配列を調べ、ＥＳＴデータベース検索を行うことによりＯＲＣ４遺伝子をトラップされたクローン（ＥＳ細胞）を選択することが出来る。加えて、ゲノムＰＣＲを行うことにより、ベクターの挿入位置を決定することが出来る。
【００２３】
この選択されたＥＳ細胞をマウスの初期胚に注入し、この初期胚を偽妊娠雌マウスの胎内に移植し、個体へと発生させ、キメラマウスを産出させる。キメラマウスの生殖細胞が挿入体ＥＳ細胞に由来すれば、このキメラマウスを野生型マウスと交雑することによって、対立遺伝子の一方でＯＲＣ４遺伝子に変異を持ったヘテロ接合体のマウスを得ることができる。そして、ヘテロ接合体のマウス同士を交雑することによって、対立遺伝子の両方でＯＲＣ４遺伝子に変異を持ったホモ接合体の変異マウスを得ることができる。
【００２４】
ホモ接合体の変異マウスを任意の時期に母胎から摘出することによって、ＯＲＣ４遺伝子変異マウスの胚を得ることができ、さらに、胚盤胞を適当な条件下で培養することによって内部細胞塊を得ることができる。
前記ホモ接合体の変異マウス胚盤胞内部細胞塊の試験管内培養は、以下に示す方法で行うことが出来る。具体的には、受精後４．５日目の胚盤胞を酸性タイロード処理して透明帯を除去した後、ＥＳ培地で培養を２日間行うことにより、栄養膜細胞と内部細胞塊を容易に区別する事が出来る。また、露出した内部細胞塊を適当な条件下で培養することにより、ゲノム中のＯＲＣ４遺伝子が変異したマウス培養細胞を得ることが可能である。
【００２５】
なお、ＯＲＣ４遺伝子変異マウスの作製方法は上述の方法に限定されず、種々の変更が可能である。また、上述の説明では、ＯＲＣ４遺伝子変異マウスの作製方法を例に挙げて説明したが、マウス以外の非ヒト動物も、通常の方法に従って作製することができる。
【００２６】
【実施例】
次に、本発明を適用した具体的な実施例について、実験結果に基づいて説明する。
【００２７】
ＯＲＣ４変異マウスは、具体的には以下に述べるような方法で作製することができる。
【００２８】
〈実験１  トラップベクターの構築〉
トラップ法に用いるＲＯＳＡＮβ−ｇｅｏジーントラップレトロウイルスベクターの構築は以下の如く行った。すなわち、Ｆｒｉｅｄｒｉｃｈらの作製したＲＯＳＡＮβ−ｇｅｏ（Ｆｒｉｅｄｒｉｃｈ  ａｎｄ  Ｓｏｒｉａｎｏ，  １９９１）の３′−スプライス部位とβ−ｇａｌ遺伝子の融合部にあるＣｌａ  Ｉ  サイトとｂ−ｇａｌ遺伝子内にあるＣｌａ  Ｉサイトを切断して得られた８．３キロ塩基対（ｋｂｐ）のベクター側断片と、ｐＡｘＣＡＮＬａｃＺ  （Ｋａｎｅｇａｅ  ｅｔ  ａｌ．，  １９９５）をＣｌａ  Ｉ  サイトで切断して得られた０．９  ｋｂｐのＳＶ４０  Ｔ抗原由来の核移行シグナルとを，ｂ−ｇａｌの融合遺伝子断片が正方向になるように結合して、ｐＲＯＳＡＮβ−ｇｅｏを作製した。なお、トラップベクターの構築については下記の文献に発表済みである。
Ｎａｒｕｓｅ−Ｎａｋａｊｉｍａ，  Ｃ．  ｅｔ  ａｌ．：  Ｉｎｖｏｌｖｅｍｅｎｔ  ｏｆ  ＥｐｈＡ２  ｉｎ  ｔｈｅ  ｆｏｒｍａｔｉｏｎ  ｏｆ  ｔｈｅ  ｔａｉｌ  ｎｏｔｏｃｈｏｒｄ  ｖｉａ  ｉｎｔｅｒａｃｔｉｏｎ  ｗｉｔｈ  ｅｐｈｒｉｎＡ１．  Ｍｅｃｈａｎｉｓｍｓ  ｏｆ  Ｄｅｖｅｌｏｐｍｅｎｔ  １０２：  ９５−１０５  （２００１）．
【００２９】
〈実験２  トラップウイルスの産生〉
ジーントラップウイルスをＳｏｒｉａｎｏらの方法に従って以下のように作製した｛  ＡＤＤＩＮ  ＥＮＲｆｕ  ，（Ｓｏｒｉａｎｏ  ｅｔ  ａｌ．，  １９９１）｝。即ち、トラップベクターをウイルス粒子として産生させるため、トラップベクターに欠損しているｇａｇ、ｐｏｌ、ｅｎｖ遺伝子を供給するＧＰ＋Ｅ−８６細胞  ｛  ＡＤＤＩＮ  ＥＮＲｆｕ  ，（Ｍａｒｋｏｗｉｔｚ  ｅｔ  ａｌ．，  １９８８）｝  をジーントラップウイルス産生細胞として使用した。ｐＲＯＳＡＮβ−ｇｅｏをＤｒａ  Ｉで切断した遺伝子断片２０μｇとＰＧＫｎｅｏｂｐＡ遺伝子断片２μｇを同時に、エレクトロポレーション（５００μＦ、２９０  Ｖ）により２×１０６  個のＧＰ＋Ｅ−８６細胞に導入した。その後、Ｇ４１８（ＧＥＮＥＴＩＣＩＮＥ；Ｇｉｂｃｏ／ＢＲＬ  Ｌｉｆｅ  Ｔｅｃｈｎｏｌｏｇｉｅｓ，  Ｉｎｃ．  ＭＤ）を１  ｍｇ／ｍｌ加えた培地で細胞を培養し、２−３週間後にジーントラップウイルス産生細胞クローンを単離した。ウイルス産生細胞クローンを１５−ｃｍプレートで培養し、飽和状態になったところで、ウイルス上清を回収した。
【００３０】
〈実験３  ＯＲＣ４変異マウスの作製〉
先ず、前記ＲＯＳＡＮβ−ｇｅｏジーントラップレトロウイルスを２０ｐｆｕ／ｍｌで１０７個のＲ１  ＥＳ細胞（Ｎａｇｙ  ｅｔ  ａｌ．，  １９９３）に１時間感染させ、感染後のＥＳ細胞を３００μｇ（活性型）／ｍｌのＧ４１８（Ｇｉｂｃｏ／ＢＲＬ社製）添加培地で７〜１０日間培養し、Ｇ４１８抵抗性のコロニーを選択した。Ｒ１ＥＳ細胞は、カナダトロントのＭｏｕｎｔ  Ｓｉｎａｉ  Ｈｏｓｐｉｔａｌ，  Ｓａｍｕｅｌ  Ｌｕｎｅｎｆｅｌｄ  Ｒｅｓｅａｒｃｈ  Ｉｎｓｔｉｔｕｔｅ  のＡｎｄｒａｓ  Ｎａｇｙ博士より分与された。培地としては、ダルベッコ変法イーグル培地（Ｇｉｂｃｏ／ＢＲＬ社製）に１５％ウシ胎仔血清、非必須アミノ酸（Ｇｉｂｃｏ／ＢＲＬ社製）、１ｍＭピルビン酸ナトリウム（Ｇｉｂｃｏ／ＢＲＬ社製）、０．１ｍＭ  ２−メルカプトエタノール（Ｇｉｂｃｏ／ＢＲＬ社製）、１０００ｕ／ｍｌ  Ｌｅｕｋｅｍｉａ  Ｉｎｈｉｂｉｔｏｒｙ  Ｆａｃｔｏｒ（Ｇｉｂｃｏ／ＢＲＬ社製）を加えたものを用いた。
【００３１】
各クローンについて核型を調べ、染色体が正常数（４０本）ある細胞が７０％以上含まれるクローンを選んだ。各クローンより調製したＲＮＡを用いて５′ＲＡＣＥ  ＰＣＲ法によりトラップされた遺伝子の塩基配列を解析し、ＯＲＣ４に変異を有するクローンを選択した。即ち、ａｃｉｄ  ｇｕａｎｉｄｉｎｉｕｍ  ｔｈｉｏｃｙａｎａｔｅ−ｐｈｅｎｏｌ−ｃｈｌｏｒｏｆｏｒｍ（ＡＧＰＣ）法により精製したｔｏｔａｌ  ＲＮＡを材料として、ｏｌｉｇｏ  （ｄＴ）  セルロースカラムを用いてｐｏｌｙ  （Ａ）＋  ＲＮＡを精製した。ｃＤＮＡ作製はＦｉｒｓｔ−Ｓｔｒａｎｄ  ｃＤＮＡ  Ｓｙｎｔｈｅｓｉｓ  ｋｉｔ（Ａｍｅｒｓｈａｍ）を利用した。ＬａｃＺ内の塩基配列を含むプライマー１（配列番号２）を用い、ジーントラップベクターから５’  側へ逆転写を行った。作製したｃＤＮＡに対し、Ｔｅｒｍｉｎａｌ  ｄｅｏｘｉｎｕｃｌｅｏｔｉｄｙｌ  ｔｒａｎｓｆｅｒａｓｅを用いてｄＣＴＰによるテーリングを行った後、ｃＤＮＡを回収した。このｃＤＮＡを用いてｎｅｓｔｅｄ  ＰＣＲを行った。１回目のＰＣＲにはｌａｃＺ内の塩基配列を含むプライマー２（配列番号３）と、Ｓａｌ  Ｉサイトを含むアンカープライマー（配列番号４）を用いた。なお、配列番号４のアンカープライマーにおいては、アンカー部分のアニーリング温度が高くなり過ぎないように，「Ｇ」のホモポリマーではなく途中に「ｉ」（イノシン）を含む配列にしてある。２回目のＰＣＲにはＮＬＳの塩基配列を含むプライマー３（配列番号５）とアンカープライマーの塩基配列を含むアンプリフィケーションプライマー（配列番号６）を用いた。ＰＣＲのサイクルは両者とも、変性９４℃、３０秒間、アニーリング６５℃、１分間、伸長７２℃、１分間である。増幅された遺伝子断片をｐＢｌｕｅｓｃｒｉｐｔ  ＫＳ  （＋）のＳａｌ  ＩサイトとＣｌａ  Ｉサイトにサブクローニングし、塩基配列の解析を行った。その結果、配列番号７に示す塩基配列を持つ遺伝子がトラップされたことがわかった。ＮＣＢＩデータベース検索を行ったところ、配列番号７はＯＲＣ４遺伝子のエキソン１であることがわかった。ＯＲＣ４エキソン１プライマー（配列番号８）とプライマー２（配列番号３）を用いてゲノムＰＣＲを行い、ベクター挿入部位近傍のゲノム配列をクローニングし塩基配列を決定したところ、選択されたＯＲＣ４変異体では、図１のようにジーントラップベクターがイントロン１に挿入されていた。
【００３２】
〈実験４  ノーザンブロット〉
ノーザンブロットは、前記ＡＧＰＣ法によって全ＲＮＡを肝臓から調製し、０．８％変性アガロースゲルにて全ＲＮＡを電気泳動し、ナイロンメンブレンに転写することにより行った。３２Ｐ標識ＤＮＡプローブを用いた一般的な方法（Ｓａｍｂｒｏｏｋ  ｅｔ  ａｌ．，  １９８９）によってハイブリダイゼーションを行った。
【００３３】
前記ＯＲＣ４変異体について、図２に示すごとく、前述したノーザンブロット法により、ＬａｃＺをプローブに用いて解析を行ったところ、ＯＲＣ４遺伝子がトラップベクターによりトラップされた結果、ｍＲＮＡの転写がトラップベクター内のｐｏｌｙ（Ａ）シグナルで停止していることが、検出された４．０ｋｂのバンドから明らかとなった。
【００３４】
〈実験５  ヘテロ接合体の作製〉
次に、選択したクローンから、改変した凝集法  （Ｎａｇｙ  ｅｔ  ａｌ．，  １９９３）によりキメラマウスを作製した。キメラマウスをＣ５７ＢＬ／６Ｊの雌と交配し、ヘテロ接合体マウスを作製した。上記ヘテロ接合体マウスは、金沢大学大学院医学系研究科の動物実験施設内のクリーンルームで、ＳＰＦ（ｓｐｅｃｉｆｉｃ  ｐａｔｈｏｇｅｎ−ｆｒｅｅ）環境で維持されている。
【００３５】
このヘテロ接合体マウスについて、Ｘ−ｇａｌ染色により発現マーカーであるｌａｃＺの発現パターンを調べた結果、胚でも成獣でも発現が確認された。また、前述したノーザンブロット解析の結果、ヘテロ接合体の成獣においてトラップされた遺伝子は全身の臓器に発現していた。
【００３６】
〈実験６  遺伝子型の決定〉
野生型染色体と変異型染色体を区別するために用いるＰＣＲ用プライマーとして、共通のｆｏｒｗａｒｄプライマー（配列番号９）、野生型に特異的なｒｅｖｅｒｓｅプライマーｗｔＲ（配列番号１０）、及び変異型に特異的なｒｅｖｅｒｓｅプライマーｍｔＲ（配列番号１１）を作製した。
【００３７】
前記ヘテロ接合体同士の交雑を行い得られた胚の受精後４．５日目、７．５日目、及び出生後２８日目の仔の遺伝子型を調べた結果を表１に示す。具体的には、各日齢の仔よりゲノムＤＮＡを調製し、前記ＰＣＲプライマーを用いてＰＣＲ法により解析を行った。その結果、野生型（＋／＋）と同じ遺伝子型を示す個体とヘテロ接合体（＋／−）とホモ接合体（−／−）との割合は、受精後４．５日目ではほぼメンデルの法則（１：２：１）に近いものであったが、受精後７．５日目ではホモ接合体は存在せず、ほぼメンデルの法則より期待される値に近い数の空の脱落膜が得られた。
【００３８】
【表１】
2004344092.tif 000003
【００３９】
受精後４．５日目と７．５日目の胚の実体顕微鏡写真を図３に示す。４．５日目の胚では、ヘテロ接合体（＋／−）とホモ接合体（−／−）との区別は外見上付けられないが、７．５日目のホモ接合体の胚は変性してしまい、生存していなかった。
【００４０】
〈実験７  変異胚内部細胞塊の試験管内培養〉
さらに詳細に解析を行うために、変異胚の内部細胞塊の試験管内培養を以下に示す方法で行った。受精後４．５日目の胚盤胞を酸性タイロード処理して透明帯を除去した後、ＥＳ培地で培養を２日間行うことにより、栄養膜細胞と内部細胞塊を容易に区別することができる。正常胚では受精後４．５日目までに胚盤胞がプレートに接着し、受精後６．５日目に胚性幹（ＥＳ）細胞様のコロニーが形成される。
【００４１】
前述した方法で試験管内培養したホモ接合体（−／−）の内部細胞塊は、受精後７．５日目までは存在が確認できるが、受精後８．５日目ではホモ接合体の内部細胞塊は消失していた（図４）。
【００４２】
〈実験８  ＤＮＡ複製の状態〉
変異胚の試験管内培養におけるＤＮＡ複製の状態を、ＢｒｄＵ取り込みを指標に解析した結果を図５に示す。受精後７．５日目の胚において、ホモ接合体（−／−）内部細胞塊では、ヘテロ接合体（＋／−）と比較してＢｒｄＵ取り込み量の抑制が確認された。
【００４３】
次に、核酸を染色する４’，６’−ｄｉａｍｉｄｉｎｏ−２−ｐｈｅｎｙｌｉｎｄｏｌｅ，  ｄｉｈｙｄｒｏｃｈｌｏｒｉｄｅ（ＤＡＰＩ）で細胞を染色したところ、受精後７．５日目のホモ接合体（−／−）の内部細胞塊には、アポトーシスを起こしている細胞に特異的に観察される染色体のドラムスティック型の凝集（矢印）が確認された（図６）。
【００４４】
また、ｔｅｒｍｉｎａｌ  ｄｅｏｘｙｎｕｃｌｅｏｔｉｄｙｌ  ｔｒａｎｓｆｅｒａｓｅ  ｍｅｄｉａｔｅｄ  ｄＵＴＰ  ｎｉｃｋ  ｅｎｄ  ｌａｂｅｌｉｎｇ（ＴＵＮＥＬ法）を用いて染色体の断片化を観察した結果、ホモ接合体の内部細胞塊に染色体の断片化が多く確認された（図７）。
【００４５】
さらに、Ｍ期特異的マーカーであるリン酸化ヒストンＨ３に対する抗体を用いて細胞を染色したところ、陽性細胞の数自体はヘテロ接合体（＋／−）とホモ接合体（−／−）の間に差は見られなかったが、ホモ接合体のＭ期細胞では染色体のドラムスティック型の凝集（矢印）が確認された（図８）。
【００４６】
以上の如く、本実施例のＯＲＣ４変異マウスのホモ接合体は、受精後４．５日目までは正常に発生経過をたどるが、その後、受精８．５日目までに致死となった。これは、前述したように、ゲノム中のＯＲＣ４遺伝子に変異を有し正常なＯＲＣタンパク質を新たに産生することが出来ない為、母マウス由来ＯＲＣ４タンパク質の枯渇によりＤＮＡ複製の停止を引き起こし、従って細胞分裂も停止した結果であると考えられる。
【００４７】
【発明の効果】
本発明のＯＲＣ４変異非ヒト動物は、ゲノム中のＯＲＣ４遺伝子に変異を有し、ホモ接合体では正常なＯＲＣタンパク質を産生することが出来ない為にＤＮＡ複製が行われず、胎生期中に致死となるが、この非ヒト動物やその胚、さらには内部細胞塊、この内部細胞塊を培養した培養細胞を用いて、これまで主に酵母における研究が進められてきたＤＮＡ複製開始機構を、哺乳類動物を用いて解析する事が可能となる。すなわち、上記非ヒト動物やその胚、さらには内部細胞塊、この内部細胞塊を培養した培養細胞を用いて、ＯＲＣの分子レベルでの生体内動向を解析することが可能である。加えて、哺乳類動物では発生段階及び細胞種によってＤＮＡ複製開始点が変化するといわれているが、ＥＳ細胞は適当な因子を添加することにより各種細胞に分化するので、標識したＯＲＣタンパク質を補って、各種細胞におけるＤＮＡ複製開始点の位置及び塩基配列の探索、ＤＮＡ複製を開始させる作用を有する他の物質の探索、又は、ＤＮＡの複製及び細胞周期の分子機構を解明する実験モデルとして使用することが可能である。
【００４８】
マウスの個体を用いるものとしては、Ｃｒｅと呼ばれる大腸菌Ｐ１ファージ由来の組換え酵素により特異的に認識される３４塩基対のｌｏｘＰ配列で挟んだＯＲＣ４遺伝子をＯＲＣ４変異ＥＳ細胞に導入して、複製が可能なＥＳ細胞を単離する。次に、レスキューしたＥＳ細胞からマウス個体を作製し、ｌｏｘＰ配列を認識してその間で組換えを起こすＣｒｅを臓器特異的にマウス胚や個体で発現させて導入したＯＲＣ４を欠損させることにより、特定の臓器、例えばあまり細胞複製が起こらないとされている神経系や心筋などで細胞周期を停止させることで異常が現れれば、その臓器における幹細胞の機能、もしくは分裂を継続している細胞の存在を明らかにすることができる。加えて、導入するＯＲＣ４遺伝子の発現量の強弱を調節することにより、がんに代表される増殖異常疾患の分子機構を解明する実験モデルとしても有用である。
【００４９】
【配列表】
2004344092.tif 000004
2004344092.tif 000005
2004344092.tif 000006
2004344092.tif 000007
2004344092.tif 000008
【図面の簡単な説明】
【図１】ＯＲＣ４の野生型染色体（ｗｔ）とトラップベクターが挿入された変異型染色体（ｍｔ）の模式図である。線及び矢印は各染色体から転写されるｍＲＮＡを示す。
【図２】野生型ＥＳ細胞（＋／＋）とトラップベクターが挿入された変異型ＥＳ細胞（＋／？）  の全ＲＮＡに対して、ｌａｃＺをプローブにノザンハイブリダイゼーションを行った写真である。図１の模式図に示したように、変異型染色体から転写されるｍＲＮＡのサイズは４．０ｋｂｐであった。
【図３】ＯＲＣ４変異マウス（−／−）及びコントロール（＋／−）の受精後４．５日目（Ｅ４．５）及び受精後７．５日目（Ｅ７．５）の胚の写真である。矢印は円筒胚（＋／−）または変性した胚（−／−）を示す。
【図４】ＯＲＣ４変異マウス（−／−）及びコントロール（＋／−）の胚の試験管内培養開始後６日目（受精後８．５日目）の写真である。ＩＣＭは内部細胞塊由来の細胞、ｔｒｏｐｈｏｂｌａｓｔは栄養膜細胞を示す。
【図５】ＯＲＣ４変異マウス（−／−）及びコントロール（＋／−）の胚の試験管内培養開始後５日目（受精後７．５日目）の細胞にＢｒｄＵを取り込ませ、抗ＢｒｄＵを用いて染色した写真である。線で囲んだ部分が内部細胞塊由来の細胞である。
【図６】ＯＲＣ４変異マウス（−／−）及びコントロール（＋／−）の胚の試験管内培養開始後５日目（受精後７．５日目）の染色体をＤＡＰＩ染色した写真である。線で囲んだ部分が内部細胞塊由来の細胞である。矢印はドラムスティック状に変性した染色体を示す。
【図７】ＯＲＣ４変異マウス（−／−）及びコントロール（＋／−）の胚の試験管内培養開始後５日目（受精後７．５日目）の細胞をＴＵＮＥＬ法で染色した写真である。線で囲んだ部分が内部細胞塊由来の細胞である。
【図８】ＯＲＣ４変異マウス（−／−）及びコントロール（＋／−）の胚の試験管内培養開始後５日目（受精後７．５日目）の細胞を抗ヒストンＨ３を用いて免疫染色した写真である。線で囲んだ部分が内部細胞塊由来の細胞である。矢印はドラムスティック状に変性した染色体を示す。
【図１】
2004344092.tif 000009
【図２】
2004344092.tif 000010
【図３】
2004344092.tif 000011
【図４】
2004344092.tif 000012
【図５】
2004344092.tif 000013
【図６】
2004344092.tif 000014
【図７】
2004344092.tif 000015
【図８】
2004344092.tif 000016